(57)【要約】【課題】照明効果を高めて客の商品購買意欲を高める。【解決手段】棚板４０の外周縁部の上面に照明装置７０が設けられ、この照明装置７０は、照明装置本体７１の発光面７１ａが棚板４０の上方かつ内周側に向けて傾斜するよう設けた。また、照明装置７０は、棚板４０のプレート４５の上面よりも上方に突出して設けるようにし、プレート４５上の物品が落下するのを防止する。さらに、照明装置本体７１は、開口部７４を有した照明カバー７３により覆い、商品等がぶつかって照明装置本体７１に傷がついて照明効果が損なわれるのを防ぐ。【選択図】図５
2014004000.tif 000002
【特許請求の範囲】
【請求項１】
床面上に設置される基部と、
前記基部から上方に立ち上がる背面壁と、
前記背面壁の前面に支持され、一段以上設けられた棚板と、
前記棚板の外周縁部に沿って該棚板の上面側に設けられ、前記棚板における物品載置面よりも上方に突出して設けられた照明部と、を備え、
前記照明部は、
その発光面が前記棚板の上方かつ内周側に向くよう傾斜した照明装置本体と、
前記照明装置本体の発光面を覆うカバー部と、
前記カバー部に形成された開口部と、を備えていることを特徴とするショーケース。
【請求項２】
前記棚板は、前記物品載置面を形成するプレートと、
前記プレートを支持するフレームと、を有し、
前記カバー部は、前記フレームの外周縁部に固定される固定部と、
前記照明装置の前記発光面に沿い、前記開口部が形成された傾斜部と、を有し、
前記傾斜部の下端部が、前記プレートの外周部と前記フレームとに挟み込まれていることを特徴とする請求項１に記載のショーケース。
【請求項３】
前記棚板は、前記物品載置面を形成するプレートが、光透過性を有した材料により形成されていることを特徴とする請求項１または２に記載のショーケース。
【請求項４】
棚板本体と、
前記棚板本体の外周縁部に沿って該棚板本体の上面側に設けられ、前記棚板本体における物品載置面よりも上方に突出して設けられた照明部と、を備え、
前記照明部は、
その発光面が前記棚板本体の上方かつ内周側に向くよう傾斜した照明装置本体と、
前記照明装置本体の発光面を覆うカバー部と、
前記カバー部に形成された開口部と、を備えていることを特徴とする照明装置付き棚板。
【発明の詳細な説明】
【技術分野】
【０００１】
本発明は、コンビニエンスストア、スーパーマーケット、商店等の店舗において、デザート菓子や生鮮食品等を陳列する、開架式のショーケース、照明装置付き棚板に関する。
【背景技術】
【０００２】
コンビニエンスストア、スーパーマーケット、商店等の店舗において、デザート菓子や生鮮食品等の商品を陳列するにあたり、冷蔵機能を備えたショーケースが多用されている。
このようなショーケースには、扉を備えない開架式のショーケースがある。
【０００３】
特許文献１〜３に開示されているように、開架式のショーケースは、複数段の棚板を有し、各段の棚板に対しては、上段の棚板の前端部の下面に設けた照明装置により、棚板上の商品に光を当てている。
【０００４】
また、特許文献１には、棚板の前端部の下面に設けた照明装置に、棚板の上面側に光を導くプリズムを備えた構成が開示されている。
【先行技術文献】
【特許文献】
【０００５】
【特許文献１】特開２００５−４０２７２号公報
【特許文献２】特開２００６−３４６２３８号公報
【特許文献３】特開２００８−２２９２１５号公報
【発明の概要】
【発明が解決しようとする課題】
【０００６】
ところで、ショーケースに陳列された商品は、照明の当たり具合等によって、高級感を醸し出したり、商品の生鮮度が高く見えたりする。このため、ショーケースにおける照明は、客の商品購買意欲にも影響を与えるため、非常に重要である。
この点について、特許文献１では、各段の棚板上の商品に対しては、上下から光が照らされるため、高い照明効果が期待できるものの、プリズムを用いるために、部品点数の増加、コスト上昇を招くという問題がある。また、プリズムが棚板の上方に突出しているため、商品を出し入れするときに商品がプリズムに衝突すると、プリズムに傷がつくことがある。すると、照明効果が損なわれてしまう可能性がある。
そこでなされた本発明の目的は、低コストでありながら、照明効果を高めて客の商品購買意欲を高めることのできるショーケース、照明装置付き棚板を提供することである。
【課題を解決するための手段】
【０００７】
本発明は、上記課題を解決するため、以下の手段を採用する。
すなわち、本発明のショーケースは、床面上に設置される基部と、基部から上方に立ち上がる背面壁と、背面壁の前面に支持され、一段以上設けられた棚板と、棚板の外周縁部に沿って棚板の上面側に設けられ、棚板における物品載置面よりも上方に突出した照明部と、を備え、照明部は、その発光面が棚板の上方かつ内周側に向くよう傾斜した照明装置本体と、照明装置本体の発光面を覆うカバー部と、カバー部に形成された開口部と、を備えていることを特徴とする。
このようなショーケースは、照明装置本体の棚板の上方かつ内周側に向くよう傾斜して設けることで、物品載置面上の商品等に光を斜め下方から確実に当てることができる。しかも、照明装置本体の発光面で発する光は、複数の開口部を通るため、棚板の外周側等に光が拡散してしまうのを防ぐことができる。そして、プリズム等を用いておらず、部品点数を低減できる。
また、照明部が物品載置面よりも上方に突出することで、物品載置面から商品等が落ちてしまうのを防ぐことができる。
しかも、カバー部を備えることで、照明装置本体が傷付きにくく、照明効果が損なわれるのを防ぐことができる。
【０００８】
棚板は、いかなる形状、構成であっても良いが、例えば、物品載置面を形成するプレートと、プレートを支持するフレームと、を有し、カバー部は、フレームの外周縁部に固定される固定部と、照明装置の発光面に沿い、開口部が形成された傾斜部と、を有し、傾斜部の下端部がプレートの外周部とフレームとに挟み込まれていることを特徴とすることができる。
【０００９】
このような照明装置は、特に、棚板の物品載置面が光透過性を有したガラス製、樹脂製等のプレートからなる場合、照明装置本体の発光面で発した光が、上段の棚板のプレートを下方から照らすことになる。これにより、商品をより一層浮きだたせることができ、より高い照明効果が得られる。
【００１０】
本発明は、棚板本体と、前記棚板本体の外周縁部に沿って該棚板本体の上面側に設けられ、前記棚板本体における物品載置面よりも上方に突出して設けられた照明部と、を備え、前記照明部は、その発光面が前記棚板本体の上方かつ内周側に向くよう傾斜した照明装置本体と、前記照明装置本体の発光面を覆うカバー部と、前記カバー部に形成された開口部と、を備えていることを特徴とする照明装置付き棚板とすることもできる。
このような棚板は、上記したようなショーケースの他、商品陳列棚等、他の什器の棚板としても用いることができる。
【発明の効果】
【００１１】
本発明によれば、低コストでありながら、棚板の物品載置面上の商品等に下方から光を照らすことで、照明効果を高めて客の商品購買意欲を高めることができる。
【図面の簡単な説明】
【００１２】
【図１】本発明に係るショーケースの実施形態を示す断面図である。
【図２】棚板の斜視図である。
【図３】棚板の構成を示す斜視展開図である。
【図４】棚板の平面図である。
【図５】棚板に設けられた照明装置を示す断面図である。
【図６】折り返し部に形成したスリットを示す図である。
【発明を実施するための形態】
【００１３】
以下、添付図面を参照して、本発明のショーケースを実施するための最良の形態を説明する。しかし、本発明はこれらの実施例のみに限定されるものではない。
図１は、本実施形態にかかるショーケース１０の全体構成を示す図である。
この図１に示すように、ショーケース１０は、床面上に設置される基台（基部）２０と、基台２０の上面から上方に立ち上がる背面壁３０と、背面壁３０の前面に支持されて、上下に一段以上（本実施形態では例えば４段）設けられた棚板４０，４０，…と、背面壁３０の上端部に設けられ、複数段の棚板４０の上方を覆うように設けられたキャノピー部５０と、を有している。
【００１４】
ショーケース１０は、図１の紙面に直交する方向を幅方向とし、これらの基台２０、背面壁３０、棚板４０、キャノピー部５０は、それぞれ、図１の紙面に直交する方向に一定長が連続するよう形成されている。また、基台２０上には、背面壁３０、棚板４０、キャノピー部５０の幅方向の端部に、サイド壁部１１を設けることもできる。
本実施形態におけるショーケース１０は、背面壁３０の一方の側と他方の側とに、それぞれ複数段の棚板４０を備えるものとしたが、背面壁３０の一方の側のみに棚板４０を備える構成としても良い。
また、本実施形態においては、各棚板４０において、背面壁３０側となる側を後方、その反対側、つまりショーケース１０に対面して客が位置する側を前方として説明を行う。
【００１５】
基台２０内には、冷媒を冷却する冷凍機２１と、冷凍機２１で冷却された冷媒により周囲雰囲気と熱交換する冷却コイル２２と、が備えられている。
【００１６】
基台２０には、略水平面内に位置するよう設けられたベース板２３が設けられている。ベース板２３の外周部には、上方に立ち上がる側壁部２４が一体に形成されている。
【００１７】
ベース板２３の上方には、略水平面内に位置する隔壁２５が設けられており、これによって、ベース板２３と隔壁２５との間には、空間２６が形成されている。この空間２６内には、前記の冷却コイル２２が収容されている。隔壁２５において、側壁部２４に近い側である前方の端部２５ａと、側壁部２４との間には空隙が設けられており、この空隙が、空間２６に連通する開口部２７とされている。また、ベース板２３上において、背面壁３０の鉛直下方には、上方に立ち上がる立ち上がり壁２８が設けられている。隔壁２５において、立ち上がり壁２８に近い側である後方の端部２５ｂと立ち上がり壁２８との間には空隙が設けられており、この空隙が、空間２６に連通する開口部２９とされている。
【００１８】
冷却コイル２２は、開口部２７から空気を空間２６内に吸込み、開口部２９から送り出すためのファン２２ｆを備えている。
【００１９】
背面壁３０は、二枚一対の壁板３１，３１が互いに水平方向に所定間隔を空けて配置された構成を有している。
各壁板３１は、隔壁２５において、後方の端部２５ｂ上に支持されており、これによって、これら二枚一対の壁板３１，３１間に形成された空間３２は、開口部２９，２９を通じて空間２６に連通している。
また、壁板３１には、上下方向に等間隔で複数段の棚板係止孔３３が形成されている。
【００２０】
各棚板４０は、背面壁３０を構成する二枚一対の壁板３１，３１のそれぞれから前方に向けて延びるよう設けられ、壁板３１に沿う鉛直部４１ａと鉛直部４１ａの上端部から前方の水平方向に延びる水平部４１ｂとを有した略Ｌ字状の支持ブラケット４１と、支持ブラケット４１の水平部４１ｂ上に設けられた平板状の棚板本体４２と、を有している。
【００２１】
支持ブラケット４１の鉛直部４１ａには、上下方向に所定間隔を空けて二つの係止爪４３，４３が形成されている。これらの係止爪４３，４３を、背面壁３０の棚板係止孔３３，３３に係止させることによって、棚板４０が壁板３１に固定されている。
【００２２】
図２、図３、図４に示すように、棚板本体４２は、支持ブラケット４１，４１上に支持されるフレーム４４と、フレーム４４上に支持され、商品等を載せる物品載置面を形成するプレート（物品載置面）４５と、フレーム４４の外周部に設けられた外周枠材４６と、を有している。
【００２３】
フレーム４４は、支持ブラケット４１，４１の水平部４１ｂ，４１ｂ上に被さる断面略逆Ｕ字状の桟材４７，４７と、棚板４０の外周部に沿って連続する外周フレーム材（フレーム）４８とが溶接、ボルト、リベット等によって一体に形成されている。
ここで、図５に示すように、外周フレーム材４８は、断面Ｌ字状で、水平面内に位置する受け部４８ａと、受け部４８ａの外周部から上方に立ち上がるよう設けられた壁部４８ｂと、を有している。
【００２４】
プレート４５は、金属製、樹脂製等としても良いが、本実施形態では、光透過性を有したガラス製とする。
【００２５】
外周枠材４６は、外周フレーム材４８と同様、断面Ｌ字状で、水平面内に位置する受け部４６ａと、受け部４６ａの外周部から上方に立ち上がるよう設けられた壁部４６ｂと、を有している。
この外周枠材４６は、外周フレーム材４８の受け部４８ａの下面に受け部４６ａを突き当てた状態で、ビス４９等によって締結されることで、外周フレーム材４８に固定されている。外周枠材４６を外周フレーム材４８に固定した状態で、壁部４６ｂ，４８ｂとの間には隙間Ｓが形成されており、この隙間Ｓに、商品名、価格等を表示した表示プレート（図示無し）が挿入できるようになっている。
【００２６】
図１に示したように、キャノピー部５０は、壁板３１，３１の上端部から水平方向に延びる下部プレート５１と、下部プレート５１の上方に所定間隔を空けて配置された断熱材からなる上部プレート５２と、上部プレート５２上に設けられた天板５３と、を有している。
下部プレート５１と上部プレート５２との間の空間５４は、背面壁３０の壁板３１，３１間の空間３２に連通するよう形成されている。
【００２７】
図１に示すように、上部プレート５２は、前方に延出するブラケット５２ａが、下部プレート５１の先端部５１ａよりも前方に張り出すよう形成されている。そして、上部プレート５２のブラケット５２ａには、下方に向けて延びる垂下壁５５が形成され、垂下壁５５と下部プレート５１の先端部５１ａとの間の空隙には、多数の孔を有したハニカム構造の整流部材５７が設けられている。
【００２８】
冷却コイル２２のファン２２ｆを作動させると、開口部２７から外部の空気が空間２６に導入される。導入された空気は、冷凍機２１で冷却された冷媒により冷却される。冷却された空気は、冷却コイル２２のファン２２ｆにより、開口部２９，２９、二枚一対の壁板３１，３１間の空間３２、下部プレート５１と上部プレート５２との間の空間５４を経て、整流部材５７から下方に吹き出され、各棚板４０上の商品を冷却する。また、整流部材５７から吹き出された空気の一部は、開口部２７にそのまま流れこみ、いわゆるエアカーテンとして機能する。
【００２９】
さて、天板５３において、背面壁３０の上端部から前方に離間した側の前端部には、フード部５８が設けられている。フード部５８は、天板５３側から、天板５３から離間した側の前方に向けて、その高さが漸次低くなるよう形成されている。
フード部５８の前端下端部には、後方の背面壁３０側に向けて漸次高くなるよう、斜め上方に向けて折り返された折り返し部５９が連続して形成されている。
【００３０】
キャノピー部５０の前端部に位置するフード部５８には、棚板４０に向けて光を照らす照明装置（照明部）６０Ａが設けられている。すなわち、照明装置６０Ａは、キャノピー部５０の前縁部に設けられている。
照明装置６０Ａは、照明装置本体６１と、バックプレート６２と、を有する。
【００３１】
照明装置本体６１は、キャノピー部５０の前縁部に沿って連続して延びる棒状（線状）に形成され、その下面に、照明装置本体６１の長手方向に複数のＬＥＤ（Light Emitting Diode）発光素子が所定間隔で並んで設けられている。
【００３２】
バックプレート６２は、整流部材５７とフード部５８との間に設けられて、例えば白色に塗装されており、照明装置本体６１からの光を効率良く反射するようになっている。
【００３３】
照明装置本体６１は、バックプレート６２の下面に固定されている。さらに、この照明装置本体６１の下方には折り返し部５９が設けられ、この折り返し部５９により、照明装置本体６１の一部の鉛直下方が覆われている。具体的には、照明装置本体６１は、前後方向において、その一部の鉛直下方が、前方側のほぼ半分が折り返し部５９によって覆われ、その残部の、後方側の残るほぼ半分が折り返し部５９よりも後方に露出するよう設けられている。
【００３４】
また、図６に示すように、折り返し部５９には、照明装置本体６１が連続する方向（キャノピー部５０の前縁部に沿った方向：図１においてはその紙面に直交する方向）に、複数の長孔状のスリット６４が所定間隔を空けて配列されている。各スリット６４は、キャノピー部５０の前縁部に沿った方向に長軸方向を有している。
【００３５】
照明装置６０Ａにおいては、照明装置本体６１は、その一部の鉛直下方が折り返し部５９によって覆われているので、照明装置本体６１で発する光はスリット６４を通って下方の棚板４０上の商品に照射される。
また、照明装置本体６１は、その残部が、折り返し部５９の鉛直上方位置よりも後方に露出するよう設けられているので、照明装置本体６１の残部で発する光は、折り返し部５９に遮られることなく、下方の棚板４０上の商品に直接照射される。
【００３６】
さらに、図５に示すように、各段の棚板４０のプレート４５の前端部の上面には、照明装置（照明部）７０が設けられている。照明装置７０は、ＬＥＤを用いた照明装置本体７１と、照明装置本体７１を支持する照明サポート部材７２と、照明装置本体７１を覆うよう設けられた照明カバー（カバー部）７３と、を有する。
【００３７】
照明装置本体７１は棒状（線状）で、棚板４０のプレート４５の外周縁部の前縁側および両側の外周縁部に沿って、プレート４５の上面側にそれぞれ設けられている。照明装置本体７１は、その一面が発光面７１ａとされている。照明装置本体７１は、その長手方向に沿って複数のＬＥＤ（Light Emitting Diode）発光素子が所定間隔を隔てて設けられることによって、発光面７１ａが形成されている。
【００３８】
照明サポート部材７２は、外周フレーム材４８の受け部４８ａの上面に固定された固定部７２ａと、固定部７２ａの一端部において屈曲し、受け部４８ａに対して傾斜した照明取付面７２ｂとを有する。照明取付面７２ｂには、照明装置本体７１が両面テープ等によって貼着され、発光面７１ａが、棚板４０のプレート４５の上方かつ内周側に向くよう傾斜した状態に支持されている。
【００３９】
照明カバー７３は、外周フレーム材４８の外周縁部の壁部４８ｂに沿うよう設けられ、この壁部４８ｂに例えば両面テープにより固定された固定部７３ａと、固定部７３ａの上端部から屈曲し、照明装置本体７１の発光面７１ａに沿うよう傾斜して設けられた傾斜部７３ｂと、傾斜部７３ｂの下端部に連続して形成され、外周フレーム材４８の受け部４８ａの上面に沿うよう形成されたスカート部７３ｃと、を有している。
なお、照明カバー７３は、固定部７３ａと傾斜部７３ｂの上部が、物品載置面となるプレート４５の上面よりも上方に突出するよう形成されている。これにより、照明装置７０は、棚板４０における物品載置面よりも上方に突出して設けられている。
【００４０】
照明カバー７３の傾斜部７３ｂには、図５の紙面に直交する方向に沿って、所定間隔ごとに複数の開口部７４が形成されている。なお、この開口部７４は、物品載置面となるプレート４５の上面よりも上方に突出して位置するよう形成されている。
また、照明カバー７３の傾斜部７３ｂの下端部に連続して形成されたスカート部７３ｃには、その上面にプレート４５の端部が載置され、プレート４５と外周フレーム材４８の受け部４８ａとの間に挟み込まれている。
【００４１】
そして、図２〜図４に示すように、棚板４０の角部において、互いに直交して隣接する照明カバー７３，７３の間には、コーナーカバー７７が設けられている。
【００４２】
上述したような構成によれば、棚板４０の外周縁部の上面に照明装置７０が設けられ、この照明装置７０は、照明装置本体７１の発光面７１ａが棚板４０の上方かつ内周側に向けて傾斜するよう設けられている。これにより、棚板４０以外の部位に向けて光が拡散するのを抑えることができる。
しかも、照明装置本体７１の発光面７１ａで発する光は、照明カバー７３の開口部７４を通るため、この点においても、棚板４０以外の部位に向けて光が拡散するのを抑えることができる。
このようにして、棚板４０上の商品に向けて斜め下方から光を効率良く照射することができる。
また、この照明装置７０は、プリズムを用いる必要が無いので、少ない部品で低コストに抑えることができる。
【００４３】
また、照明装置７０は、棚板４０のプレート４５の上面よりも上方に突出して設けられているため、プレート４５上の物品が落下するのを防止することができる。
【００４４】
さらに、照明装置本体７１は、開口部７４を有した照明カバー７３により覆われているため、商品等がぶつかって照明装置本体７１に傷がついて照明効果が損なわれるのを防ぐことができる。
【００４５】
さらに、照明装置本体７１の発光面７１ａからの光は、上段の棚板４０のガラス製のプレート４５を下方から照らすため、プレート４５上の商品等を浮きだたせるような照明効果があり、客の購買意欲を高めることができる。
【００４６】
（その他の実施形態）
なお、本発明のショーケースは、図面を参照して説明した上述の各実施形態に限定されるものではなく、その技術的範囲において様々な変形例が考えられる。
例えば、ショーケース１０において、棚板４０の照明装置７０以外の構成については何ら限定するものではなく、他のいかなる構成としても良い。また、棚板４０は、背面壁３０を構成する二枚一対の壁板３１，３１のそれぞれから前方に向けて延びるよう設けるようにしたが、例えば、背面壁３０の一方の側のみに棚板４０を設ける等、これをいかなるレイアウト構成としても良い。
また、プレート４５を、鋼板等の他の材質に代えることもできる。
照明カバー７３に複数の開口部７４を所定間隔を空けて形成する構成としたが、その形状や設置間隔については何ら限定するものではない。また、開口部７４を、照明装置本体７１の長手方向に連続する一文字状とすることも可能である。
加えて、照明装置本体６１は、キャノピー部５０の前縁部に沿って連続して延びる棒状（線状）としたが、これに限るものではなく、キャノピー部５０の前縁部に沿って、照明装置本体６１を複数個並べて設けても良い。
これ以外にも、本発明の主旨を逸脱しない限り、上記実施の形態で挙げた構成を取捨選択したり、他の構成に適宜変更することが可能である。
【符号の説明】
【００４７】
１０  ショーケース
１１  サイド壁部
２０  基台（基部）
２１  冷凍機
２２  冷却コイル
２３  ベース板
２４  側壁部
２５  隔壁
２６  空間
２７  開口部
２８  壁
２９  開口部
３０  背面壁
３１  壁板
３２  空間
３３  棚板係止孔
４０  棚板
４１  支持ブラケット
４２  棚板本体
４３  係止爪
４４  フレーム
４５  プレート（物品載置面）
４６  外周枠材
４６ａ      受け部
４６ｂ      壁部
４７  桟材
４８  外周フレーム材（フレーム）
４８ａ      受け部
４８ｂ      壁部
５０  キャノピー部
５１  下部プレート
５２  上部プレート
５３  天板
５４  空間
５５  垂下壁
５７  整流部材
５８  フード部
５９  部
６０  照明装置
６１  照明装置本体
６１ａ      発光面
７０  照明装置（照明部）
７１  照明装置本体
７１ａ      発光面
７２  照明サポート部材
７２ａ      固定部
７２ｂ      照明取付面
７３  照明カバー（カバー部）
７３ａ      固定部
７３ｂ      傾斜部
７３ｃ      スカート部
７４  開口部
【図１】
2014004000.tif 000003
【図２】
2014004000.tif 000004
【図３】
2014004000.tif 000005
【図４】
2014004000.tif 000006
【図５】
2014004000.tif 000007
【図６】
2014004000.tif 000008